(57)【要約】【課題】公衆場所での電力の使用が便利に安全に行える公衆電源システムを提供することである。【解決手段】所定の公衆場所に配電線１３からの電力が供給されるコンセント１１を予め設置し、コンセント１１に電力供給を要求する通信端末３２とセンターサーバ３１とをインターネット３３を介して接続しておき、利用者により通信端末３２からインターネット３３を介してセンターサーバ３１にコンセント１１の設置場所の検索要求があったときは、センターサーバ３１はコンセント１１の設置場所の情報を通信端末３２に送信し、コンセント１１への電力供給要求があったときは、センターサーバ３１は電流制御部１４に対し通信網（インターネット２９や電話網３０）を介して電流供給指令を出力し、電流制御部１４はコンセント１１に供給される電流の通電を許可する。【選択図】図１
2011193660.tif 000002
【特許請求の範囲】
【請求項１】
所定の公衆場所に予め設置され配電線からの電力が供給されるコンセントと、前記コンセントと前記配電線との間に接続され前記コンセントに供給される電流の通電可否を制御する電流制御部と、前記コンセントの設置場所の検索要求及び前記コンセントに電力供給を要求する通信端末と、前記通信端末とはインターネットを介して接続され前記電流制御部とは通信網を介して接続され利用者により前記通信端末から前記コンセントの設置場所の検索要求があったときは前記コンセントの設置場所の情報を前記通信端末に送信するとともに前記通信端末から前記コンセントへの電力供給要求があったときは前記電流制御部に電流供給指令を出力するセンターサーバとを備えたことを特徴とする公衆電源システム。
【請求項２】
前記センターサーバは、前記コンセントの設置場所の情報に加えて、設置場所毎の前記コンセントの使用の詳細情報を提供することを特徴とする請求項１に記載の公衆電源システム。
【請求項３】
前記センターサーバは、前記利用者ごとに、前記コンセントの使用時間、使用電力量、使用料金を集計して記憶することを特徴とする請求項１または２に記載の公衆電源システム。
【請求項４】
前記センターサーバは、設置場所別料金に使用時間を乗じて算出された使用料金または設置場所別料金に使用電力量を乗じて算出された使用料金を集計して記憶することを特徴とする請求項３記載の公衆電源システム。
【請求項５】
前記センターサーバは、前記利用者により前記通信端末から前記コンセントの使用時間、使用電力量、使用料金の照会要求があったときは、前記利用者ごとに集計した前記コンセントの使用時間、使用電力量、使用料金の情報を前記通信端末に提供することを特徴とする請求項３または４に記載の公衆電源システム。
【請求項６】
前記電流制御部は、前記配電線の下位系統の漏電を検出したときは前記配電線からの電流を遮断することを特徴とする請求項１乃至５のいずれか１項に記載の公衆電源システム。
【請求項７】
前記電流制御部は、前記コンセントへの供給電流が予め定められた過電流設定値を超えたときは前記配電線からの電流を遮断することを特徴とする請求項１乃至６のいずれか１項に記載の公衆電源システム。
【請求項８】
前記センターサーバは、前記電流制御部の過電流設定値を設定変更可能であることを特徴とする請求項７に記載の公衆電源システム。
【請求項９】
前記電流制御部は、前記コンセントの使用時間の制限値を設定するための使用時間制限値記憶部と、前記コンセントの使用時間が前記使用時間制限値記憶部に設定された制限値になったときは前記コンセントに供給される電流をオフするためのタイマとを有し、前記センターサーバは、前記コンセントの電流供給指令とともに前記タイマのカウント開始指令を出力することを特徴とする請求項１乃至８のいずれか１項に記載の公衆電源システム。
【請求項１０】
前記センターサーバは、前記コンセントの使用時間の制限値を設定するための使用時間制限値記憶部と、前記コンセントの使用時間が前記使用時間制限値記憶部に設定された制限値になったときは前記コンセントに供給される電流をオフするためのタイマとを有し、前記コンセントの電流供給指令とともに前記タイマのカウント開始指令を出力することを特徴とする請求項１乃至８のいずれか１項に記載の公衆電源システム。
【請求項１１】
前記電流制御部は、前記配電線から供給される交流電流を前記コンセントに供給するとともに、前記交流電流を直流に変換しその変換した直流電流を直流コンセントに供給することを特徴とする請求項１乃至１０のいずれか１項に記載の公衆電源システム。
【請求項１２】
前記電流制御部と前記センターサーバとを接続する通信網は、インターネットあるいはインターネット・プロトコル以外のプロトコルの通信網であることを特徴とする請求項１乃至１１のいずれか１項に記載の公衆電源システム。
【発明の詳細な説明】
【技術分野】
【０００１】
本発明は、所定の公衆場所に送電線や配電線または内線からの電力が供給されるコンセントを予め設置しておき、公衆場所で電力の使用を可能とした公衆電源システムに関する。
【背景技術】
【０００２】
一般に、需要家は、予め電力供給会社との契約により電力供給会社から送電線や配電線から電力の供給を受け、需要家の内線に電力を導きコンセントから電気機器に電力を供給するようになっている。コンセントは需要家の建家の屋内や敷地内に設置される。
【０００３】
通常、電力供給会社からコンセントに供給される電力は、配電線を介して内線から供給されるが、送電線または配電線から直接的に供給される場合もあるので、以下の説明では、配電線からの電力が供給されるコンセントと言う場合には、送電線または配電線から直接的に供給されるコンセントの場合、あるいは内線から供給されるコンセントの場合を含むものとする。
【０００４】
このように、需要家は、配電線からの電力が供給されるコンセントに各種電気機器のプラグを差し込み電気機器を使用する。このように、通常、電力の使用は需要家内のコンセントを介して行われる。
【０００５】
一方、電力供給会社との契約により契約電力が決められると、その契約電力に対応した電流制限値を有するブレーカが需要家に設置され、需要家内で使用できる最大電流は、そのブレーカで定まる電流制限値以内に抑制される。
【０００６】
ここで、需要家内にホームサーバを設置し、外出先のプッシュ型電話機からホームサーバへ制御信号を送信し、自宅にあるテーブルタップの複数のコンセントに接続された電気機器に対する電力供給状態を確認したり、必要があれば給電状態を切り換えたりできるようにしたものがある（例えば、特許文献１参照）。
【先行技術文献】
【特許文献】
【０００７】
【特許文献１】特開２００２−４４８８２号公報
【発明の概要】
【発明が解決しようとする課題】
【０００８】
しかし、特許文献１のものは、外出先等の遠隔地から複数のコンセントの通電状態を確認したり、通電をオン・オフ制御することができるが、使用するコンセントは需要家自身のコンセントであり、外出先において電気機器を使用できるものではない。外出先で電気機器を使用しようとした場合には、外出先近傍の需要家（他人）のコンセントを借りて、電力の供給を受けるしかない。
【０００９】
そこで、所定の公衆場所に配電線や内線からの電力が供給されるコンセントを予め設置しておき、そのコンセントの使用ができれば、需要家内ではない公衆場所での電力の使用が可能となる。
【００１０】
また、需要家内で使用できる最大電流は、需要家のブレーカで定まる電流制限値で定まるが、所定の公衆場所に設置されるコンセントの場合にも、電流制限値を設けることが必要となる。これは、コンセントが接続された配電線の他の需要家や上位系統に悪影響を与えないようにするためである。
【００１１】
そこで、コンセントに供給される電流に対しても電流制限値を設けることになるが、その場合、所定の公衆場所に設置されるコンセントに対して、そこにブレーカを設置し、そのブレーカで定まる電流制限値とすると電流制限値が固定化されてしまう。電流制限値の変更をする場合にはブレーカの交換をしなければならない。所定の公衆場所に設置されるコンセントでは、その使用電力が当初想定したよりも多くなった場合にも柔軟に対応できるように、電流制限値は使用状況に応じて容易に変更できるものであることが望まれる。
【００１２】
また、所定の公衆場所に配電線や内線からの電力が供給されるコンセントを予め設置したとしても、そのコンセントの設置場所が利用者に周知されていないと、公衆場所においてコンセントの有効活用が図れない。
【００１３】
本発明の目的は、公衆場所での電力の利用が安全にしかも有効に活用できる公衆電源システムを提供することである。
【課題を解決するための手段】
【００１４】
請求項１の発明に係る公衆電源システムは、所定の公衆場所に予め設置され配電線からの電力が供給されるコンセントと、前記コンセントと前記配電線との間に接続され前記コンセントに供給される電流の通電可否を制御する電流制御部と、前記コンセントの設置場所の検索要求及び前記コンセントに電力供給を要求する通信端末と、前記通信端末とはインターネットを介して接続され前記電流制御部とは通信網を介して接続され利用者により前記通信端末から前記コンセントの設置場所の検索要求があったときは前記コンセントの設置場所の情報を前記通信端末に送信するとともに前記通信端末から前記コンセントへの電力供給要求があったときは前記電流制御部に電流供給指令を出力するセンターサーバとを備えたことを特徴とする。
【００１５】
請求項２の発明に係る公衆電源システムは、請求項１の発明において、前記センターサーバは、前記コンセントの設置場所の情報に加えて、設置場所毎の前記コンセントの使用の詳細情報を提供することを特徴とする。
【００１６】
請求項３の発明に係る公衆電源システムは、請求項１または２の発明において、前記センターサーバは、前記利用者ごとに、前記コンセントの使用時間、使用電力量、使用料金を集計して記憶することを特徴とする。
【００１７】
請求項４の発明に係る公衆電源システムは、請求項３の発明において、前記センターサーバは、設置場所別料金に使用時間を乗じて算出された使用料金または設置場所別料金に使用電力量を乗じて算出された使用料金を集計して記憶することを特徴とする。
【００１８】
請求項５の発明に係る公衆電源システムは、請求項３または４の発明において、前記センターサーバは、前記利用者により前記通信端末からコンセントの使用時間、使用電力量、使用料金の照会要求があったときは、前記利用者ごとに集計した前記コンセントの使用時間、使用電力量、使用料金の情報を前記通信端末に提供することを特徴とする。
【００１９】
請求項６の発明に係る公衆電源システムは、請求項１乃至５のいずれか１項の発明において、前記電流制御部は、前記配電線の下位系統の漏電を検出したときは前記配電線からの電流を遮断することを特徴とする。
【００２０】
請求項７の発明に係る公衆電源システムは、請求項１乃至６のいずれか１項の発明において、前記電流制御部は、前記コンセントへの供給電流が予め定められた過電流設定値を超えたときは前記配電線からの電流を遮断することを特徴とする。
【００２１】
請求項８の発明に係る公衆電源システムは、請求項７の発明において、前記センターサーバは、前記電流制御部の過電流設定値を設定変更可能であることを特徴とする。
【００２２】
請求項９の発明に係る公衆電源システムは、請求項１乃至８のいずれか１項の発明において、前記電流制御部は、前記コンセントの使用時間の制限値を設定するための使用時間制限値記憶部と、前記コンセントの使用時間が前記使用時間制限値記憶部に設定された制限値になったときは前記コンセントに供給される電流をオフするためのタイマとを有し、前記センターサーバは、前記コンセントの電流供給指令とともに前記タイマのカウント開始指令を出力することを特徴とする。
【００２３】
請求項１０の発明に係る公衆電源システムは、請求項１乃至８のいずれか１項の発明において、前記センターサーバは、前記コンセントの使用時間の制限値を設定するための使用時間制限値記憶部と、前記コンセントの使用時間が前記使用時間制限値記憶部に設定された制限値になったときは前記コンセントに供給される電流をオフするためのタイマとを有し、前記コンセントの電流供給指令とともに前記タイマのカウント開始指令を出力することを特徴とする。
【００２４】
請求項１１の発明に係る公衆電源システムは、請求項１乃至１０のいずれか１項の発明において、前記電流制御部は、前記配電線から供給される交流電流を前記コンセントに供給するとともに、前記交流電流を直流に変換しその変換した直流電流を直流コンセントに供給することを特徴とする。
【００２５】
請求項１２の発明に係る公衆電源システムは、請求項１乃至１１のいずれか１項の発明において、前記電流制御部と前記センターサーバとを接続する通信網は、インターネットあるいはインターネット・プロトコル以外のプロトコルの通信網であることを特徴とする。
【発明の効果】
【００２６】
請求項１の発明によれば、所定の公衆場所に予めコンセントを設置しておき、センターサーバは、利用者により通信端末からコンセントの設置場所の検索要求があったときは、コンセントの設置場所の情報を通信端末に送信するので、利用者はコンセントの設置場所を容易に把握でき利便性が向上する。また、センターサーバは、利用者により通信端末からコンセントへの電力供給要求があったときは、電流制御部に電流供給指令を出力するので、利用者は需要家内ではない公衆場所においても電力の使用が可能となる。
【００２７】
請求項２の発明によれば、請求項１の発明の効果に加え、センターサーバは、コンセントの設置場所の情報に加えて、設置場所毎のコンセントの使用の詳細情報を提供するので、利用者は、コンセントの使用の利便性がより向上する。
【００２８】
請求項３の発明によれば、請求項１または２の発明の効果に加え、センターサーバは、利用者ごとに、コンセントの使用時間、使用電力量、使用料金を集計して記憶するので、使用者ごとに使用時間や使用電力量、さらに課金の集計を保存できる。
【００２９】
請求項４の発明によれば、請求項３の発明の効果に加え、設置場所別料金に使用時間を乗じて算出された使用料金または設置場所別料金に使用電力量を乗じて算出された使用料金を集計して記憶するので、設置場所ごとに異なる料金に対応できる。
【００３０】
請求項５の発明によれば、請求項３または４の発明の効果に加え、センターサーバは、利用者により通信端末から、コンセントの使用時間、使用電力量、使用料金の照会要求があったときは、利用者ごとに集計した使用電力の料金の情報を通信端末に提供するので、利用者は使用電力の料金の情報を容易に把握できる。
【００３１】
請求項６の発明によれば、請求項１乃至５のいずれか１項の発明の効果に加え、電流制御部は、配電線の下位系統の漏電を検出したときは配電線からの電流を遮断するので、安全にコンセントに電力を供給できる。
【００３２】
請求項７の発明によれば、請求項１乃至６のいずれか１項の発明の効果に加え、電流制御部は、コンセントへの供給電流が予め定められた過電流設定値を超えたときは配電線からの電流を遮断するので、コンセントが接続された配電線の他の需要家や上位系統に悪影響を与えることを防止でき、安全にコンセントに電力を供給できる。
【００３３】
請求項８の発明によれば、請求項７の発明の効果に加え、センターサーバは電流制御部の過電流設定値を設定変更可能であるので、所定の公衆場所に設置されたコンセントの容量が変更になったときにも容易に対応できる。
【００３４】
請求項９及び請求項１０の発明によれば、請求項１乃至８のいずれか１項の発明の効果に加え、コンセントの使用時間がその制限値になったときは、コンセントに供給される電流をオフするので、コンセント使用者が誤って電気機器を長時間にわたって接続したままの状態にしていても、自動的にオフすることができ安全性が向上する。
【００３５】
請求項１１の発明によれば、請求項１乃至１０のいずれか１項の発明の効果に加え、交流電流を直流に変換して、その変換した直流電流を直流コンセントに供給するので、直流負荷に対しても電力供給できる。
【００３６】
請求項１２の発明によれば、請求項１乃至１１のいずれか１項の発明の効果に加え、電流制御部とセンターサーバとを接続する通信網は、インターネットあるいはインターネット・プロトコル以外のプロトコルの通信網とするので、電流制御部とセンターサーバとの通信データの大きさにより適切な方に切り替えて通信できる。
【図面の簡単な説明】
【００３７】
【図１】本発明の実施の形態に係る公衆電源システムの構成図。
【図２】本発明の実施の形態におけるセンターサーバの設置場所情報提供部の動作を示すフローチャート。
【図３】本発明の実施の形態でのコンセントや直流コンセントの設置場所での通信端末による電力供給要求の操作の説明図。
【図４】本発明の実施の形態に係る公衆電源システムの動作を示すフローチャート。
【発明を実施するための形態】
【００３８】
以下、本発明の実施の形態を説明する。図１は本発明の実施の形態に係る公衆電源システムの構成図である。所定の公衆場所には予め交流電力を供給するコンセント１１が設置される。また、必要に応じて直流コンセント１２も設置される。図１では、直流コンセント１２はパーソナルコンピュータや携帯電話などのモバイル機器の端末装置を接続するためのＵＳＢ端子である場合を示している。所定の公衆場所は、例えば、公園や公共施設、コンビニエンスストアなどであり、電源供給コーナーや電源供給スタンドとして設置される。
【００３９】
コンセント１１及び直流コンセント１２には、配電線１３から電流制御部１４を介して電力が供給される。電流制御部１４は、コンセント１１や直流コンセント１２に供給される電流の通電可否を制御するものである。コンセント１１には電線１５ａにて配電線１３から交流電力が供給され、直流コンセント１２には電線１５ｂにて配電線１３から交流電力がＡＣ／ＤＣ変換器１９で直流電力に変換されて供給される。
【００４０】
コンセント１１の電線１５ａには、電線１５ａの漏電を検出する漏電検出器１６ａ、電線１５ａを流れる電流を検出する電流検出器１７ａ、電線１５ａの電圧を検出する電圧検出器４１ａが設けられ、また電線１５ａを流れる電流Ｉａのオンオフを行うための開閉器１８ａが設けられている。同様に、直流コンセント１２の電線１５ｂには、電線１５ｂの漏電を検出する漏電検出器１６ｂ、電線１５ｂを流れる電流を検出する電流検出器１７ｂ、電線１５ｂの電圧を検出する電圧検出器４１ｂ、電線１５ｂを流れる電流Ｉｂのオンオフを行うための開閉器１８ｂが設けられ、さらに、開閉器１８ｂを介して入力した交流電力を直流に変換して直流コンセント１２に出力するＡＣ／ＤＣ変換器１９、漏電検出器１６ｃが設けられている。漏電検出器１６ｃは直流回路の漏電を検出するものである。また、開閉器１８ｂは直流コンセント１２とＡＣ／ＤＣ変換器１９との間に設けてもよい。電流検出器１７ａ、１７ｂで検出された電流Ｉａ、Ｉｂ及び電圧検出器４１ａ、４１ｂで検出された電圧Ｖａ、Ｖｂは、それぞれ計測値記憶部２０に入力され記憶される。
【００４１】
漏電検出器１６ａ、１６ｂは、配電線１３の下位系統の漏電を検出するものであり、コンセント１１や直流コンセント１２への電力の供給回路である電線１５ａ、１５ｂ及びコンセント１１や直流コンセント１２からの先の回路の漏電を検出する。コンセント１１の電線１５ａや直流コンセント１２の電線１５ｂに漏電を検出したときは、制御部２１にその漏電発生を通知する。制御部２１は、漏電検出器１６ａ、１６ｂから漏電発生の通知を受けると、開閉器１８ａ、１８ｂを開放してコンセント１１や直流コンセント１２への電力の供給を停止するとともに、漏電検出履歴記憶部２２に漏電発生の日時などの情報を履歴として記憶する。
【００４２】
制御部２１は、コンセント１１や直流コンセント１２への電流の通電を制御する。通電を許可するときは開閉器１８ａ、１８ｂを閉じ、通電を不許可するときは開閉器１８ａ、１８ｂを開く。過電流設定値記憶部２３には、コンセント１１や直流コンセント１２に供給する電流Ｉａ、Ｉｂの制限値が予め過電流設定値として記憶されている。
【００４３】
制御部２１は、計測値記憶部２０に記憶された電流Ｉａ、Ｉｂを入力し、コンセント１１や直流コンセント１２に供給される電流Ｉａ、Ｉｂが過電流設定値記憶部２３に記憶された過電流設定値を超えたか否かを監視し、過電流設定値を超えたときは開閉器１８ａ、１８ｂを開き、配電線１３からの電流Ｉａ、Ｉｂを遮断するとともに、過電流検出履歴記憶部２４に過電流検出の日時や過電流値などの情報を履歴として記憶する。
【００４４】
これにより、コンセント１１や直流コンセント１２に供給される電流Ｉａ、Ｉｂが過電流になることを防止し、コンセントが接続された配電線の他の需要家や上位系統に悪影響を与えることを防止するとともに、安全にコンセント１１や直流コンセント１２に電力を供給できるようにしている。
【００４５】
さらに、電流制御部１４には、コンセント１１や直流コンセント１２の使用時間の制限値を設定するための使用時間制限値記憶部２５が設けられている。制御部２１は、コンセント１１や直流コンセント１２の使用時間が使用時間制限値記憶部２５に設定された使用時間の制限値となったときは、開閉器１８ａ、１８ｂを開き電流の供給を停止する。
【００４６】
すなわち、制御部２１はタイマ２６を有し、コンセント１１や直流コンセント１２の使用が開始されるとタイマ２６を起動し、コンセント１１や直流コンセント１２の使用時間をカウントする。そして、制御部２１は、タイマ２６でカウントした使用時間がその制限値になったときは開閉器１８ａ、１８ｂを開きコンセント１１や直流コンセント１２に供給される電流をオフとする。これにより、コンセント使用者がコンセント１１や直流コンセント１２の使用停止をせずに、誤って電気機器を長時間にわたって接続したままの状態にしていても自動的にオフすることができるので安全性が向上する。
【００４７】
また、制御部２１は、計測記憶部２０に記憶された電流Ｉａ、Ｉｂ及び電圧Ｖａ、Ｖｂに基づいて、コンセント１１や直流コンセント１２で使用した電力量を計算し使用電力記憶部４２に記憶するとともに、コンセント１１や直流コンセント１２の使用時間を計算し使用時間記憶部４３に記憶する。使用時間は開閉器１８ａ、１８ｂを閉じていた時間を計算して求めることになる。
【００４８】
また、電流制御部１４は通信ポート２７及び変換機２８を有し、通信ポート２７及び変換機２８は、インターネット２９や電話網３０を介してセンターサーバ３１から送信されてきたコンセント１１や直流コンセント１２への電力供給要求を受信し制御部２１に出力するとともに、コンセント１１や直流コンセント１２の使用状況や、利用者の使用電力量や使用時間などをインターネット２９や電話網３０を介してセンターサーバ３１に送信する。コンセント１１や直流コンセント１２の使用状況は、現在、利用者により使用されているコンセント１１や直流コンセント１２の個数などである。
【００４９】
電流制御部１４とセンターサーバ３１とを接続する通信網は、インターネット２９あるいはインターネット・プロトコル以外のプロトコルの通信網である電話網３０であり、インターネット２９はインターネット・プロトコルにより伝送が行われ、電話網３０は、インターネット・プロトコル以外のプロトコルにより伝送が行われる。例えば、携帯電話やＰＨＳの通信網でありＳＭＳなどである。電話網３０による伝送の場合には変換機２８でプロトコルをインターネット・プロトコルに変換し通信ポート２７に出力する。インターネット２９と電話網３０との切り替えは、電流制御部１４とセンターサーバ３１との通信データの大きさにより適切な方に切り替える。
【００５０】
センターサーバ３１は、通信端末３２とインターネット３３を介して接続される。通信端末３２は、例えば携帯電話３４やパーソナルコンピュータ３５であり、コンセント１１や直流コンセント１２を使用する際に、この通信端末３２からインターネット３３を介してセンターサーバ３１にコンセント１１や直流コンセント１２の設置場所の検索要求や電力供給要求、さらには使用電力量、使用時間、使用料金などの照会要求を行うことになる。
【００５１】
センターサーバ３１は、コンセント１１や直流コンセント１２が設置された場所を示す設置場所情報４４、各々の設置場所でのコンセント１１や直流コンセント１２の使用状況を示す使用詳細情報４５、利用者ごとに使用電力量を集計した使用電力量情報４６、利用者ごとに使用時間を集計した使用時間情報４７、コンセント１１や直流コンセント１２の設置場所別に予め定められた設置場所別料金情報６３と、利用者ごとに使用料金を集計した使用料金情報４８を情報として格納している。センターサーバ３１は、設置場所別料金情報６３に格納された設置場所別料金に利用者の使用時間または使用電力量を乗じて、利用者ごとの使用料金を使用料金情報４８として記憶する。
【００５２】
また、センターサーバ３１は、コンセント１１や直流コンセント１２の設置場所の検索要求があったときに設置場所情報４４や使用詳細情報４５を通信端末３２に提供する設置場所情報提供部４９と、所定の公衆場所に設置されたコンセント１１や直流コンセント１２の識別標識を判別するためのコンセント識別部３６と、利用者によりコンセント１１や直流コンセント１２への電力供給要求があったときに電流制御部１４に電流供給指令を出力する電流供給指令出力部３７と、電流制御部１４の過電流設定値記憶部２３に過電流設定値を設定するための過電流設定値設定部３８と、利用者からコンセント１１や直流コンセント１２の利用者情報（使用電力量、使用時間、使用料金）の照会要求があったときは使用電力量情報４６、使用時間情報４７、使用料金情報４８を通信端末３２に提供する利用者情報提供部５０とを有する。
【００５３】
センターサーバ３１の設置場所情報提供部４９は、利用者により通信端末３２からコンセント１１や直流コンセント１２の設置場所の検索要求があったときは、コンセント１１や直流コンセント１２の設置場所情報４４や設置場所毎のコンセント１１や直流コンセント１２の使用詳細情報４５を通信端末３２に送信する。例えば、設置場所情報４４としては通信端末３２の位置から最も近い設置場所を提供したり、使用詳細情報４５としてはコンセント１１や直流コンセント１２の空き情報を提供する。
【００５４】
センターサーバ３１のコンセント識別部３６は、通信端末３２より送信されてきた識別標識に基づいて、電流供給を行うべきコンセント１１や直流コンセント１２を識別する。そして、電流供給指令出力部３７は、利用者による通信端末３２からコンセント１１や直流コンセント１２への電力供給要求であるかどうかを判定し、利用者の認証が確認できたときは、コンセント識別部３６で識別したコンセント１１や直流コンセント１２に対応する電流制御部１４にインターネット２９もしくは電話網３０を介して電流供給指令を出力する。
【００５５】
また、センターサーバ３１の過電流設定値設定部３８は、所定の公衆場所に設置されるコンセント１１や直流コンセント１２の新設のときや、途中で容量が変更になったときに、インターネット２９もしくは電話網３０を介して電流制御部１４の過電流設定値記憶部２３に過電流設定値を送信して過電流設定値を設定変更する。これにより、コンセント１１や直流コンセント１２の設置場所まで赴かなくても過電流設定値を容易に変更できる。
【００５６】
また、センターサーバ３１の利用者情報提供部５０は、利用者から利用者情報（使用電力量、使用時間、使用料金）の照会があったときは、その利用者の使用電力量情報４６、使用時間情報４７、使用料金情報４８を通信端末３２に提供するので、利用者は、自己の使用電力量、使用時間、使用料金の情報を容易に把握できる。
【００５７】
図２はセンターサーバ３１の設置場所情報提供部４９の動作を示すフローチャートである。設置場所情報提供部４９は、通信端末３２からコンセント１１や直流コンセント１２の設置場所の検索要求があったときに起動される。まず、場所検索画面を起動し（Ｓ１）、インターネット３３を介して通信端末３２に送信する。設置場所情報提供部４９はコンセント使用予定者からの場所条件の選択を待ち、コンセントの使用予定者が場所条件の選択を行うと（Ｓ２）、公衆電源システムの設置場所リストをインターネット３３を介して通信端末３２に送信し通信端末３２に表示する（Ｓ３）。
【００５８】
設置場所情報提供部４９はコンセントの使用予定者からの場所の選択を待ち、コンセントの使用予定者が場所の選択を行うと（Ｓ４）、その設置場所でのコンセント１１や直流コンセント１２の使用詳細情報をインターネット３３を介して通信端末３２に送信し通信端末３２に表示する（Ｓ５）。使用詳細情報としては、その設置場所の位置、空き情報を含む利用状況、使用可能電流などを表示する。これにより、コンセント使用予定者は、いずれの設置場所のコンセントを利用するのが効果的であるかの判断を容易に行える。
【００５９】
このようにして、センターサーバ３１の設置場所情報提供部４９により公衆電源システムを検索すると、コンセントの使用予定者は実際にコンセント１１や直流コンセント１２が設置されている設置場所に赴いて、コンセント１１や直流コンセント１２を使用することになる。
【００６０】
図３は、コンセント１１や直流コンセント１２の設置場所での通信端末３２による電力供給要求の操作の説明図である。コンセント１１や直流コンセント１２の設置場所には、コンセント１１や直流コンセント１２の近傍に識別標識表示部５１が設けられている。識別標識表示部５１には、コンセント１１や直流コンセント１２を識別するための識別標識５２が形成されている。図３では識別標識５２はＱＲコードである場合を示している。
【００６１】
利用者は、この設置場所でのコンセント１１や直流コンセント１２を使用したい場合には、通信端末３２により識別標識５２を読み取り、センターサーバ３１に送信する。センターサーバ３１では識別標識５２をコンセント識別部３６に入力する。コンセント識別部３６は識別標識５２の情報に基づいて電流供給を行うべきコンセント１１や直流コンセント１２を識別する。
【００６２】
そして、センターサーバ３１の電流供給指令出力部３７は、通信端末３２からの電力供給要求に利用者の認証があるかどうかを確認し、その確認ができたときは、コンセント識別部３６で識別したコンセント１１や直流コンセント１２に対応する電流制御部１４に対して電流供給指令を出力する。これにより、コンセント１１や直流コンセント１２に電力が供給される。
【００６３】
図４は、本発明の実施の形態に係る公衆電源システムの動作を示すフローチャートである。まず、利用者は、使用したいコンセント１１や直流コンセント１２の設置箇所まで赴き、その設置箇所の識別標識表示部５１に形成された識別標識５２を通信端末３２により読み込む（Ｓ１）。そして、利用者は、ログインパスワードの入力を行う（Ｓ２）。
【００６４】
センターサーバ３１は識別標識５２に基づいて電流供給を行うべきコンセント１１や直流コンセント１２の設置場所を識別するとともに（Ｓ３）、ログインパスワードに基づいて認証があるかどうかを確認する（Ｓ４）。認証が確認できない場合には処理は終了する。一方、認証が確認できたときは、センターサーバ３１は通信端末３２に対し使用確認画面を表示し（Ｓ５）、利用者がコンセント１１や直流コンセント１２を使用する意思があるかどうかの使用確認を行う（Ｓ６）。利用者から使用確認がない場合には処理を終了し、使用確認がある場合には、センターサーバ３１は通信端末３２に対し使用規約画面を表示し（Ｓ７）、利用者が規約の同意をするかどうかを確認する（Ｓ８）。
【００６５】
利用者が規約の同意をしたときは、センターサーバ３１は電流制御部１４に対し電流供給指令を出力する（Ｓ９）。電流制御部１４は電流供給指令を受信すると通電を開始するとともに（Ｓ１０）、タイマ２６を起動してタイマ２６のカウントを開始する（Ｓ１１）。これにより、コンセント１１や直流コンセント１２の使用時間を計測する。
【００６６】
電流制御部１４は、漏電検出器１６ａ、１６ｂにより漏電発生かどうかを判定し（Ｓ１２）、漏電発生の場合は漏電検出器１６ａ、１６ｂは開閉器１８ａ、１８ｂを開いてコンセント１１や直流コンセント１２への電流供給を遮断するとともに漏電検出履歴記憶部２２に漏電検出情報を記憶し、さらに、それまでの使用者情報（使用電力量、使用時間、使用料金）を集計して記憶し（Ｓ１３）、処理を終了する。
【００６７】
漏電が発生していない場合は、制御部２１はコンセント１１や直流コンセント１２への供給電流が過電流設定値を超過しているかどうかを判定し（Ｓ１４）、電流超過である場合には、制御部２１は、開閉器１８ａ、１８ｂを開いてコンセント１１や直流コンセント１２への電流供給を遮断するとともに過電流検出履歴記憶部２４に過電流検出情報を記憶し、さらに、それまでの使用者情報（使用電力量、使用時間、使用料金）を集計して記憶し（Ｓ１３）、処理を終了する。
【００６８】
電流超過でない場合には電源の使用を継続し（Ｓ１５）、制御部２１は使用終了かどうかを判定し（Ｓ１６）、使用終了であるときは、それまでの使用者情報（使用電力量、使用時間、使用料金）を集計して記憶し（Ｓ１３）、処理を終了する。コンセント１１や直流コンセント１２の使用が終了していないときは、タイマ２６で計測した使用時間が使用時間制限値記憶部２５に記憶された制限値以上となったかどうかを判定し（Ｓ１７）、時間制限でないときはステップＳ１２に戻り、時間制限であるときは、それまでの使用者情報（使用電力量、使用時間、使用料金）を集計して記憶し（Ｓ１３）、処理を終了する。使用終了かどうかどうかは、例えば、通信端末３２により終了指令が出力されているか否か、あるいはコンセント１１や直流コンセント１２への供給電流Ｉａ、Ｉｂが所定時間以上にわたって零となったか否かで判定する。
【００６９】
ここで、漏電検出履歴記憶部２２に記憶された漏電発生の日時などの漏電検出履歴情報や、過電流検出履歴記憶部２４に記憶された過電流検出の日時や過電流値などの過電流検出履歴情報は、センターサーバ３１からの要求によりセンターサーバ３１に送信され、センターサーバ３１で管理される。
【００７０】
以上の説明では、コンセント１１や直流コンセント１２の使用時間の制限値を設定するための使用時間制限値記憶部２５及びコンセント１１や直流コンセント１２の使用時間が使用時間制限値記憶部２５に設定された制限値になったときはコンセント１１や直流コンセント１２に供給される電流をオフするためのタイマ２６を電流制御部１４に設けたが、センターサーバ３１に設けるようにしてもよい。この場合、センターサーバ３１はタイマ２６のカウント値が使用時間制限値記憶部２５に設定された制限値になったときは、電流制御部１４の制御部２１に対し、その旨を通知することになる。
【００７１】
また、使用時間制限値記憶部２５に設定される使用時間の制限値は、予め固定値を設定しておいてもよいし、センターサーバ３１から通信端末３２に対し、利用者に使用時間の制限値の問い合わせをし、利用者が通信端末３２から指定した制限値を設定するようにしてもよい。
【００７２】
本発明の実施の形態によれば、所定の公衆場所に予めコンセント１１や直流コンセント１２を設置しておき、センターサーバ３１は、利用者により通信端末３２からコンセント１１や直流コンセント１２の設置場所の検索要求があったときは、コンセント１１や直流コンセント１２の設置場所の情報を通信端末３２に送信するので、利用者はコンセント１１や直流コンセント１２の設置場所を容易に把握でき利便性が向上する。また、センターサーバ３１は、コンセント１１や直流コンセント１２の設置場所の情報に加えて、設置場所毎のコンセント１１や直流コンセント１２の使用の詳細情報を提供するので、利用者は、コンセント１１や直流コンセント１２の使用の利便性がより向上する。
【００７３】
また、センターサーバ３１は、利用者により通信端末３２からコンセント１１や直流コンセント１２への電力供給要求があったときは、電流制御部１４に電流供給指令を出力するので、利用者は需要家内ではない公衆場所においても電力の使用が可能となり利便性が向上する。
【００７４】
電流制御部１４は、コンセントの使用時間がその制限値になったときは、コンセント１１や直流コンセント１２に供給される電流をオフするので、コンセント使用者が誤って電気機器を長時間にわたって接続したままの状態にしていても、自動的にオフすることができ安全性が向上する。
【００７５】
センターサーバ３１は、利用者ごとに利用者情報（使用電力量、使用時間、使用料金）を集計するので、使用電力量、使用時間、使用料金の集計が容易に行え課金の集計も容易に行える。センターサーバ３１は、利用者により通信端末３２から使用料金の照会要求があったときは、利用者ごとに集計した（使用電力量、使用時間、使用料金）を通信端末３２に提供するので、利用者は利用者情報（使用電力量、使用時間、使用料金）を容易に把握できる。
【００７６】
また、電流制御部１４は、コンセント１１や直流コンセント１２への供給電流を監視し、予め定められた過電流設定値を超えないようにコンセント１１や直流コンセント１２に電流を供給するので、安全にコンセント１１や直流コンセント１２に電力を供給でき、コンセント１１や直流コンセント１２が接続される配電線や上位系統に悪影響を与えることを防止できる。また、電流制御部１４の過電流設定値はセンターサーバ３１から設定変更可能であるので、コンセント１１や直流コンセント１２の容量が変更になったときにも容易に対応できる。
【符号の説明】
【００７７】
１１…コンセント、１２…直流コンセント、１３…配電線、１４…電流制御部、１５…電線、１６…漏電検出器、１７…電流検出器、１８…開閉器、１９…ＡＣ／ＤＣ変換器、２０…計測記憶部、２１…制御部、２２…漏電検出履歴記憶部、２３…過電流設定値記憶部、２４…過電流検出履歴記憶部、２５…使用時間制限値記憶部、２６…タイマ、２７…通信ポート、２８…変換機、２９…インターネット、３０…電話網、３１…センターサーバ、３２…通信端末、３３…インターネット、３４…携帯電話、３５…パーソナルコンピュータ、３６…コンセント識別部、３７…電流供給指令出力部、３８…過電流設定値設定部、３９…識別標識表示部、４０…識別標識、４１…電圧検出器、４２…使用電力量記憶部、４３…使用時間記憶部、４４…設置場所情報、４５…使用詳細情報、４６…使用電力量情報、４７…使用時間情報、４８…使用料金情報、４９…設置場所情報提供部、５０…利用者情報提供部、５１…識別標識表示部、５２…識別標識、６３…設置場所別料金情報
【図１】
2011193660.tif 000003
【図２】
2011193660.tif 000004
【図３】
2011193660.tif 000005
【図４】
2011193660.tif 000006